(57)【特許請求の範囲】
【請求項１】
それぞれに凹凸状のエンボスを付与した２枚のペーパーシートを貼り合わせ、ロール状に巻いたトイレットロールにおいて、
前記トイレットロールは、ロール密度が８０〜１１０ｋｇ／ｍ３であり、かつ紙厚×巻長さ／ロール断面積の値が７０〜８７％であり、
前記２枚のペーパーシートは、凸部とこれより寸法が大きく深さがほぼ同等の凹部とが形成され、各ペーパーシートの前記凸部が他方側のペーパーシートの前記凹部に嵌り込み、前記２枚のペーパーシートの両方の前記凹部の底部に、前記凹凸状のエンボスよりも寸法及び深さが小さい第２エンボスが付与され、前記２枚のペーパーシートの各凸部の頂部が複数の前記第２エンボスに対面しているとともに、一方側のペーパーシートの凸部の頂部が他方側のペーパーシートの凹部の底部に接着されていることを特徴とするトイレットロール。
【請求項２】
前記トイレットロールは、巻長さをロール断面積で割った値として定まる巻密度が０．５６〜０．７２×１０４ｍ−１である請求項１記載のトイレットロール。
【請求項３】
前記ペーパーシートは、JIS P 8113に基づく縦方向（ＭＤ）引張強度が２５０〜４００cN／２５mmであり、横方向（ＣＤ）引張強度が８０〜３００cN／２５mmである請求項１〜２いずれかに記載のトイレットロール。
【請求項４】
前記ペーパーシートは、JIS P 4501に基づく水解性が８〜４０secである請求項１〜３いずれかに記載のトイレットロール。
【請求項５】
前記２枚のペーパーシートを貼り合わせる接着剤の粘度が４〜５０mPa・sである請求項１〜４いずれかに記載のトイレットロール。
【発明の詳細な説明】
【技術分野】
【０００１】
本発明は、特にクッション感、厚み感に優れたトイレットペーパーなどロール状に巻かれたトイレットロールに関する。
【背景技術】
【０００２】
トイレットペーパー、キッチンペーパーなどの衛生薄葉紙には、風合い、拭き取りやすさ、吸水性など、消費者の要求に応じて、１枚重ね（１プライ）又は２枚重ね（２プライ）のペーパーシートを紙管にロール状に巻いたものや、更にふんわり感や厚み感を出すために、ペーパーシートに凹凸状のエンボス加工を施したものが提供されている。製品形状は、前記トイレットペーパーの場合は、通常１プライで約６０m前後、２プライで約３０m前後の薄葉紙を、外径３８〜４５mm程度の紙管に巻き付け、外径約１１０mm前後とするのが一般的である。
【０００３】
近年では、温水洗浄便座に適するように、シート自身が持つ吸水力に加え、シートを重ねることによって生ずる空隙を利用することで吸水性を向上するように、３枚以上のシートを重ね合わせてロール状に巻いたトイレットペーパー（下記特許文献１参照）や、エンボスパターンを有する対のペーパーシートを、各ペーパーシートに形成したエンボスの凸面同士が近接して向かい合うように接合して一体化したり、前記対のペーパーシートのいずれか一方に、第１のエンボスと異なりかつエンボス深さが大きい第２のエンボスパターンを施して一体化した２プライ以上の衛生製品（下記特許文献２参照）なども提案されている。
【特許文献１】特開２００２−１７２０７２号公報
【特許文献２】特開２００３−１１６７４１号公報
【特許文献３】特開昭５７−１９５４３０号公報
【発明の開示】
【発明が解決しようとする課題】
【０００４】
しかしながら、前記特許文献１記載のトイレットペーパーの場合には、吸水性のよいふんわりした感触を与えるようになるけれども、巻長さが短くなるとともに、１回の使用量が増えるため資源的無駄が多い。また、プライ数を多くすれば、吸水量が増えることは事実であるが、使用時にふんわり感や柔らか感が無くなり、固くゴワついた感じとなるため、消費者の満足感は得られていない。
【０００５】
ところで、消費者は店頭で、実際にトイレットロールを手に掴んで、その感触を確かめた上で、購入を決定することが多い。感触が固すぎるトイレットペーパーの場合には使用時にも固さを感じ使用感が悪いと感じ、柔らか過ぎる場合には使用時に破れが生じるのではないかとの懸念を抱くことがある。
【０００６】
巻きを固くしながら、ふんわり感や厚み感を出すためには、エンボスを付与することが効果的であると一般的に考えられている傾向があるが、ロール状に巻き取られるトイレットペーパーなどの場合には、巻き圧や時間経過によってエンボスが消失し、必ずしもエンボスの効果が得られていない。前記特許文献２記載の衛生製品は、２枚のペーパーシート５０、５１の接合を、上記特許文献３に開示された所謂Tip To Tip方式（図４参照）によって行うことにより、嵩高性やふんわり感等を出すものであるが、この接合形態はエンボスの凸部同士を対面させるため、圧力によってエンボスが潰れやすいという欠点がある。従って、エンボスが機能している状態、すなわちエンボスが潰れていない、紙管に巻く前の製造直後の状態であれば、嵩高性、シート表面特性、柔軟性及びクッション性などの諸特性を満足し得るものとなるが、これらの衛生薄葉紙の多くは、ロール状に巻かれて市場に出荷される間に、巻き圧や時間経過に伴ってエンボスが平坦化されたり、消失してしまうため、使用時に巻き出した際には、既に嵩高性、柔軟性やクッション感が失われているなどの問題があった。
【０００７】
そこで本発明の第１の課題は、適度のクッション感、厚み感を有するトイレットロールを提供することにある。第２に、加えて柔らかさ及び滑らかさを備え、かつロール状に巻き取った後でも、エンボスが潰れにくく、消費者の使用時においても、嵩高性、柔軟性、クッション感などが消失していないトイレットロールを提供することにある。
【課題を解決するための手段】
【０００８】
前記課題を解決するために請求項１に係る本発明として、それぞれに凹凸状のエンボスを付与した２枚のペーパーシートを貼り合わせ、ロール状に巻いたトイレットロールにおいて、
前記トイレットロールは、ロール密度が８０〜１１０ｋｇ／ｍ３であり、かつ紙厚×巻長さ／ロール断面積の値が７０〜８７％であり、
前記２枚のペーパーシートは、凸部とこれより寸法が大きく深さがほぼ同等の凹部とが形成され、各ペーパーシートの前記凸部が他方側のペーパーシートの前記凹部に嵌り込み、前記２枚のペーパーシートの両方の前記凹部の底部に、前記凹凸状のエンボスよりも寸法及び深さが小さい第２エンボスが付与され、前記２枚のペーパーシートの各凸部の頂部が複数の前記第２エンボスに対面しているとともに、一方側のペーパーシートの凸部の頂部が他方側のペーパーシートの凹部の底部に接着されていることを特徴とするトイレットロールが提供される。
【０００９】
上記請求項１記載の本発明においては、ロール密度が８０〜１１０ｋｇ／ｍ３とし、かつ紙厚×巻長さ／ロール断面積の値が７０〜８７％のロール状衛生薄葉紙とするものである。前記ロール密度及び紙厚×巻長さ／ロール断面積の値を上記数値範囲とすることにより、適度のクッション感、厚み感を有するトイレットロールとすることができる。
【００１０】
上記請求項１記載の本発明においては、一方側のペーパーシートの凸部が他方側のペーパーシートの凹部に接着されたラミネート構造、すなわち「Ｎｅｓｔｅｄ（ネステッド）方式」と呼ばれる貼り合わせ構造を採用する。ネステッド方式は、前述したＴｉｐＴｏＴｉｐ方式と比べると、ペーパーシート間を繋ぐ支柱部分（凸部と凹部との接合部分）が格段に多くなり、巻き圧や時間経過によってもエンボスが潰れ難い。エンボスが潰れ難いため、使用時においても、嵩高性、柔らかさ、クッション感などの感触が残ったままとなる。また、凹凸の程度が小さく、エンボスがきっちりと画成されるため、滑らかな感じとなる。また、２枚のペーパーシート間に形成される間隙を利用することにより吸水量が向上できるため、例えば温水便座用としても好適に使用可能となる。
【００１１】
上記請求項１記載の本発明においては、前記２枚のペーパーシートの内の少なくとも一方側のペーパーシートに、前記凹凸状のエンボスよりも寸法及び深さが小さい第２エンボスが付与されているようにした。
【００１２】
上記請求項１記載の発明では、相対的にエンボスの深さの深い凹凸状のエンボスが嵩高性を与え、相対的にエンボス深さの浅い第２エンボスの外側に突出する頂部は他方のペーパーシートの相対的にエンボス深さの深い凸部と対面する部分においてこの凸部の頂部に接触していないため、手触り感や柔軟感、更には滑らか感などの感触を与えるようになる。
【００１３】
請求項２に係る本発明として、前記トイレットロールは、巻長さをロール断面積で割った値として定まる巻密度が０．５６〜０．７２×１０４ｍ−１である請求項１記載のトイレットロールが提供される。
【００１４】
上記請求項２記載の本発明では、巻密度を０．５６〜０．７２×１０４ｍ−１としてある。巻密度を上記数値範囲とすることにより、クッション感、厚み感、柔らかさを有しながら、変形を起こし難くなる。
【００１５】
請求項３に係る本発明として、前記ペーパーシートは、JIS P 8113に基づく縦方向（ＭＤ）引張強度が２５０〜４００cN／２５mmであり、横方向（ＣＤ）引張強度が８０〜３００cN／２５mmである請求項１〜２いずれかに記載のトイレットロールが提供される。
【００１６】
上記請求項３記載の本発明においては、ペーパーシートのJIS P 8113に基づく縦方向（ＭＤ）引張強度を２５０〜４００cN／２５mmとし、横方向（ＣＤ）引張強度を８０〜３００cN／２５mmとするものである。縦方向引張強度と横方向引張強度を上記数値範囲となるように設定することにより、柔らかさ、クッション感、厚み感を有しながら、巻き圧や時間経過によって潰れ難いエンボスとすることが可能となる。
【００１７】
請求項４に係る本発明として、前記ペーパーシートは、JIS P 4501に基づく水解性が８〜４０secである請求項１〜３いずれかに記載のトイレットロールが提供される。水解性（ほぐれやすさ）、衛生薄葉紙が水洗便器から流出する際、配水管等の機能を阻害しないように、一般的な範囲、具体的には８〜４０secの範囲とするのが望ましい。
【００１８】
請求項５に係る本発明として、前記２枚のペーパーシートを貼り合わせる接着剤の粘度が４〜５０mPa・sである請求項１〜４いずれかに記載のトイレットロールが提供される。
【００１９】
上記請求項５記載の本発明においては、接着剤の粘度を４〜５０mPa・sとする。接着剤粘度が４mPa・s未満の場合には、使用時に剥がれが生じ、５０mPa・sを超える場合には、塗布ロールにペーパーが巻き付くなどの操業トラブルが発生するようになる。
【発明の効果】
【００２０】
以上詳説のとおり本発明によれば、適度のクッション感、厚み感を有するものとなり、加えて柔らかさ及び滑らかさを備え、かつロール状に巻き取った後でも、エンボスが潰れにくく、消費者の使用時においても、嵩高性、柔軟性、クッション感などが消失していないトイレットロールとすることができる。
【発明を実施するための最良の形態】
【００２１】
以下、本発明の実施の形態について図面を参照しながら詳述する。
図１は本発明に係るロール状衛生薄葉紙１の斜視図である。
【００２２】
本発明に係るトイレットペーパーなどのロール状衛生薄葉紙１は、それぞれに凹凸状のエンボスを付与した２枚のペーパーシート２，３を貼り合わせ、紙管５にロール状に巻き付けた衛生薄葉紙であり、特に本発明ではロール密度が８０〜１１０ｋｇ／ｍ３であり、かつ紙厚×巻長さ／ロール断面積の値が７０〜８７％としたものである。ここで、前記「巻長さ」とは薄葉紙の巻取り方向（長手方向）の長さをいい、前記「ロール断面積」とはロールの中心軸と直交する面の面積Ｓ（紙管及び中央の空間を除く。）をいう。また、前記紙厚の測定は、JIS P 8111の条件下で、尾崎製作所ダイヤルシックネスゲージ「PEACOCK G型」を用いて測定する。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料（ペーパーシート）を試験台の上におき、プランジャーをゆっくりと降ろしそのときのゲージを読み取る。このとき、プランジャーを載せるだけとする。なお、測定は２枚重ねのままで行い、１０回の平均値とする。
【００２３】
前記ロール密度（kg／m3)は、ペーパーシート２，３をロールに巻いた状態での単位体積当たりの重量を表し、米坪×（紙幅）×巻長さ×重ね枚数／ロール断面積×（紙幅）の式によって算出されるものである。このロール密度は、巻き固さの指標値となるものである。すなわち、前記ロール密度が８０kg／m3未満である場合には、潰れない強いエンボスを施すこととなって滑らかさが無くなることとなり好ましくない。また、１１０kg／m3を超える場合にはクッション感とふんわり感が無くなり好ましくない。
【００２４】
また、紙厚×巻長さ／ロール断面積の算式は、展開状態の体積（紙厚×紙幅×巻長さ）／ロール状態の体積（ロール断面積×紙幅）の値を示し、空隙の度合（嵩高性）の指標値となるものである。すなわち、前記紙厚×巻長さ／ロール断面積の値が７０％未満である場合には、空隙が多くロールが変形し易くなり好ましくなく、８７％を超える場合にはエンボスが潰れてしまうこととなり好ましくない。
【００２５】
前記ロール状衛生薄葉紙１においては、巻長さをロール断面積で割った値として定まる巻密度が０．５６〜０．７２×１０４ｍ−１であることが望ましい。巻密度が上記数値範囲の場合には、クッション感、厚み感、柔らかさを有しながら、変形を起こし難くなる。前記巻密度が、０．５６×１０４ｍ−１未満の場合には、ロールが変形することとなり、０．７２×１０４ｍ−１を超える場合にはエンボスが潰れてしまうこととなる。なお、前記巻密度の調整は、紙管に巻き取る際の薄葉紙に加える引張力を調節することにより行うことができる。
【００２６】
前記２枚のペーパーシート２，３に形成されるエンボスは、３〜８個／cm２、好ましくは４〜６個／cm２とし、径φは０．５〜３mm、好ましくは１〜２mm、深さｈは０．５〜２mm、好ましくは０．５〜１．５mmとするのが望ましい。
【００２７】
前記エンボスの付与方法としては、例えばエンボスパターンを付与したスチールロールとゴムロール間に薄葉紙を通し加圧してエンボスを付与する方法、或いは雄型のエンボスパターンを有するスチールロールと雌型のスチールロールとの間に薄葉紙を通し加圧してエンボスを付与する方法などを挙げることができる。また、前記エンボスは種々の形状のものを任意の配置パターンで形成することが可能である。
【００２８】
前記２枚のペーパーシート２，３は、図２に示されるように、一方のシート２のエンボス凸部２ａが他方のシート３のエンボス凹部３ａに嵌り込むとともに、その嵌り込み域において空間Ｈを残すようにし、かつ前記エンボス凸部２ａの頂部と、エンボス凹部３ａの底面とを接着剤４により接着するようにしている。前記接着剤としては、衛生上問題のないもの、例えばカルボキシメチルセルロース又はその塩、ポリビニルアルコール又はその塩などを使用することができる。
【００２９】
前記ペーパーシート２，３の貼り合わせに使用する接着剤の粘度は４〜５０mPa・sとするのが望ましい。粘度が４mPa・s未満の場合には接着強度が弱過ぎて使用中にシートの剥がれが生じるようになる。また、５０mPa・sを超える場合には、製造ラインにおいて粘着剤の塗布ロールにシートが巻き付いてしまうなどの操業トラブルが発生することがあるとともに、固化した接着剤が肌に違和感を与えるようになる。
【００３０】
前記２枚のペーパーシート２，３のエンボスパターンは、ペーパーシート２，３の両者若しくは一方側において、エンボス深さの異なる２種類以上のエンボスを付与するようにするのが望ましい。相対的にエンボス深さの深いエンボスが嵩高性を与え、相対的にエンボス深さの浅いエンボスが手触り感や柔軟感、更には滑らか感などの感触を与えるようになる。
【００３１】
例えば図３に示される例は、２枚のペーパーシート２，３の両方に、前記エンボス（ベースエンボス）よりも寸法及び深さが小さい第２エンボス２ｂ、３ｂを形成した例である。前記第２エンボス２ｂ、３ｂの外側に突出する頂部は、他方のペーパーシート２（３）の前記ベースエンボスの凸部と対面する部分においてこのベースエンボスの凸部の頂部に接触していない小さなエンボスであるため、手触り感として高い柔軟性と滑らか感を与えるようになる。なお、前記第２エンボス２ｂ、３ｂがペーパーシート２，３の一方にのみ形成するようにしてもよい。
【００３２】
他方、前記ペーパーシート２，３は、JIS P 8113に基づく縦方向（ＭＤ）引張強度が２５０〜４００cN／２５mmであり、横方向（ＣＤ）引張強度が８０〜３００cN／２５mmとすることが望ましい。縦方向引張強度と横方向引張強度を上記数値範囲となるように設定することにより、クッション感、厚み感を有しながら、巻き圧や時間経過によって潰れ難いエンボスとすることが可能となる。さらに、衛生薄葉紙がトイレットペーパーなどの要水解性である場合には、JIS P 4501に基づく水解性が８〜４０secであることが望ましい。
【００３３】
〔他の形態例〕
(1)上記形態例では、芯有りタイプのロール状衛生薄葉紙１について述べたが、巻芯を省略した芯無しタイプに対しても同様に適用することができる。
【実施例】
【００３４】
以下、実施例により本発明の効果を明らかにする。表１に示すように、米坪、、紙厚、引張強度、水解性、巻長さ、巻径、紙管径、エンボス方式、ロール断面積、紙厚／米坪、紙厚×巻長さ／ロール断面積、巻密度及びロール密度がそれぞれ異なる８種（実施例２種、比較例６種）のトイレットペーパーを製造、或いは入手し、柔らかさ、滑らかさ、クッション・厚み感について、官能評価を行った。官能評価は、○：優れている、△：普通、×：劣っている、の３段階評価とした。
【００３５】
【表１】
0004649118.tif 000002
【００３６】
表１から明らかなように、本発明に係るトイレットペーパーの場合には、柔らかさ、滑らかさ、クッション・厚み感のいずれについても優れていることが判明している。
【産業上の利用可能性】
【００３７】
本発明は、トイレットペーパーなどの衛生薄葉紙の他、キッチンペーパーなどの衛生薄葉紙にも適用することが可能である。
【図面の簡単な説明】
【００３８】
【図１】本発明に係るロール状衛生薄葉紙１の斜視図である。
【図２】衛生薄葉紙１の断面図である。
【図３】衛生薄葉紙１の他のエンボス形成例を示す断面図である。
【図４】従来のＴｉｐＴｏＴｉｐ方式に係る貼り合わせ断面構造を示す断面図である。
【符号の説明】
【００３９】
１…ロール状衛生薄葉紙、２・３…ペーパーシート、４…接着剤、５…紙管
【図１】
0004649118.tif 000003
【図２】
0004649118.tif 000004
【図３】
0004649118.tif 000005
【図４】
0004649118.tif 000006